(57)【要約】      （修正有）【課題】特殊作業員の面部にぴったり貼り付け、メガネフレームが保護マスクに干渉することを防ぎ、各種の顔型に掛けることが適用し、皮膚に貼り付けて保護マスクの気密性を保持することができる保護マスク内に用いられるメガネフレームを提供する。【解決手段】二つのツルとリムを有し、二つのリムの間には、連結部材で繋いでおり、各リムの連結部材から離れた両端部にそれぞれツルを繋ぐための軸部が設けられ、両端の軸部の間に、各ツルが特殊作業員の面部にぴったり貼り付ける掛け距離を有し、連結部材から各ツルの近くの前記軸部までには、面部貼り付け距離を有し、ツルの中途には、厚さを限定する調整距離を有し、リムにおける軸部と軸部により枢接されているツルは、所定の角度をなしている。【選択図】図２
0003173415.tif 000002
【実用新案登録請求の範囲】
【請求項１】
保護マスク内に用いられるメガネフレームであって、
二つのツルとリムを有し、前記二つのリムの間には連結部材で繋いでおり、各リムの前記連結部材から離れた両端部にそれぞれ前記ツルを繋ぐための軸部が設けられ、
前記両端の軸部の間に各ツルが特殊作業員の面部にぴったり貼り付ける掛け距離を有し、
前記連結部材から各ツルの近くの前記軸部までには面部貼り付け距離を有し、
前記ツルの中途には厚さを限定する調整距離を有し、
前記リムにおける軸部と前記軸部により枢接されているツルは、所定の角度をなしていることを特徴とする保護マスク内に用いられるメガネフレーム。
【請求項２】
前記掛け距離は１１２ｍｍ〜１２２ｍｍであることを特徴とする請求項１に記載の保護マスク内に用いられるメガネフレーム。
【請求項３】
前記面部貼り付け距離は３８ｍｍ〜４８ｍｍであることを特徴とする請求項１に記載の保護マスク内に用いられるメガネフレーム。
【請求項４】
前記調整距離は３０ｍｍより大きいであることを特徴とする請求項１に記載の保護マスク内に用いられるメガネフレーム。
【請求項５】
前記所定の角度は６８度〜８０度であることを特徴とする請求項１に記載の保護マスク内に用いられるメガネフレーム。
【請求項６】
前記調整距離におけるツルの厚さは０．４ｍｍより小さいであることを特徴とする請求項１に記載の保護マスク内に用いられるメガネフレーム。
【考案の詳細な説明】
【技術分野】
【０００１】
本考案は、メガネフレームに関する。特に、保護マスクを使用する特殊作業員に掛けられ、特殊作業員が保護マスクを付ける便利性を向上させ、保護マスク内に用いられるメガネフレームに関する。
【背景技術】
【０００２】
一般、よく見られるメガネフレームの基本構成では、たぶんリムの外側と二つのツルの最前端においては、それぞれ枢軸装置が設けられたので、レンズを着脱可能にさせることができる。また、リムとツルを枢接している部位においては、軸が用いられ、二つのリムとツルを一体に枢接させるとともに、ツルにヒンジを添付したので、リムとツルが互いに自在に回転可能で、展開または折り畳みの状態になることができる。
【考案の概要】
【考案が解決しようとする課題】
【０００３】
ところが、このような構成のメガネフレームの全体体積は大きくて使用者の面部にぴったり貼り付けることができないので、近視になった特殊作業員が任務につく際、保護マスクを付けるとメガネが偏移され、あるいは、保護マスクの空間に干渉してメガネを掛けることができなくなるので、保護マスクを付ける前に、メガネを固定しておかなければならない。そして、特殊作業員がこのような厄介を避けるために、コンタクトレンズを使用する場合もあるが、コンタクトレンズでは、どんな人でも適用することができないので、メガネを掛けている特殊作業員が任務につく際、あるいは、緊急救援をする時、災難の救いに影響を与える。上記特殊作業員では、要は消防員や竪坑作業員などが仕事をする時に安全保護をしなければならない作業員を含み、即ち、仕事をする時に保護マスクを付ける必要がある作業員を含む。
【課題を解決するための手段】
【０００４】
本考案の主な目的は、特殊作業員の面部にぴったり貼り付け、メガネフレームが保護マスクに干渉することを防ぎ、各種の顔型に掛けることが適用し、皮膚に貼り付けて保護マスクの気密性を保持することができる保護マスク内に用いられるメガネフレームを提供することにある。
【０００５】
上記目的を奏するために、本考案では、二つのツルとリムを有し、前記二つのリムの間には、連結部材で繋いでおり、各リムの前記連結部材から離れた両端部にそれぞれ前記ツルを繋ぐための軸部が設けられ、前記両端の軸部の間に、各ツルが特殊作業員の面部にぴったり貼り付ける掛け距離を有し、前記連結部材から各ツルの近くの前記軸部までには、面部貼り付け距離を有し、前記ツルの中途には、厚さを限定する調整距離を有し、前記リムにおける軸部と前記軸部により枢接されているツルは、所定の角度をなしていることを特徴とする保護マスク内に用いられるメガネフレーム。
【０００６】
なお、前記掛け距離は１１２ｍｍ〜１２２ｍｍであり、面部貼り付け距離は３８ｍｍ〜４８ｍｍであり、調整距離は３０ｍｍより大きいであり、所定の角度は６８度〜８０度であり、調整距離におけるツルの厚さは０．４ｍｍより小さいである。
【考案の効果】
【０００７】
本考案によれば、掛け距離を工夫して、メガネ全体のサイズを一般のメガネより小さくさせることができるので、特殊作業員がこのメガネを掛けてから保護マスクを手軽に付けることができる。さらに、保護マスクがメガネフレームに干渉されることを防ぎ、人間各種の顔型に掛けることが適用し、皮膚に貼り付けて保護マスクの気密性を保持することができる。
【図面の簡単な説明】
【０００８】
【図１】図１は、本考案に係る保護マスク内に用いられるメガネフレームの１つ実施例を示す斜視図である。
【図２】図２は、本考案に係るメガネフレームの各距離を示す底面図である。
【図３】図３は、本考案に係る保護マスク内に用いられるメガネフレームを掛けた様子を示す図のその１である。
【図４】図４は、本考案に係る保護マスク内に用いられるメガネフレームを掛けた様子を示す図のその２である。
【考案を実施するための形態】
【０００９】
以下、添付した図面と具体的な実施形態を組み合わせて、本考案を詳しく説明する。
【００１０】
図１および図２は、本考案に係る実施例を示す斜視図およびメガネフレームの各距離を示す底面図である。図面から分かるように、本考案は保護マスク内に用いられるメガネフレームであり、このメガネフレーム１は、要は二つのリム１０と、連結部材１２と、ツル１４とからなっており、二つのリム１０の間に連結部材１２で繋いでおり、各リム１０の当該連結部材１２から離れた両端部にそれぞれツル１４を繋ぐための軸部１０２が設けられており、当該二つの軸部１０２の間に、各ツル１４が特殊作業員の面部にぴったり貼り付ける掛け距離２を有し、連結部材１２から各ツル１４の近くの軸部１０２までには、面部貼り付け距離３を有し、各ツル１４の中途には調整距離４を有し、リム１０における軸部１０２と前記軸部１０２により枢接されているツル１４は、所定の角度５をなしている。
【００１１】
上記掛け距離２は１１２ｍｍ〜１２２ｍｍであり、面部貼り付け距離３は３８ｍｍ〜４８ｍｍであり、調整距離４は３０ｍｍより大きいであり、所定の角度５は６８度〜８０度であり、調整距離４におけるツル１４の厚さは０．４ｍｍより小さいである。
【００１２】
図３および図４は、本考案に係るメガネフレームを掛けた様子を示す図のその１およびその２である。それらを図２と合わせて参考すると分かるように、特殊作業員がメガネフレーム１を掛けている場合、掛け距離２は１１２ｍｍ〜１２２ｍｍであるので、メガネフレーム１全体の両側が面部に近く寄せることができる。一方、面部貼り付け距離３は３８ｍｍ〜４８ｍｍだけであって、調整距離４は３０ｍｍより大きいであるので、メガネフレーム１全体が面部にぴったりと貼り付けることができる。また、調整距離４におけるツル１４の厚さは０．４ｍｍより小さいであるので、メガネフレーム１を掛けると二つのツル１４を面部の両側における頬にぴったりと貼り付けさせることができる。なお、ツル１４を展開した場合、ツル１４とリム１０のなす角度は６８度〜８０度という予定の角度であるので、メガネフレーム１は狭すぎることはないし、広すぎることもない。したがって、メガネを掛けることに影響を与えない。
【００１３】
メガネフレーム１を掛けた後、すぐ保護マスク７を付けることができる。また、メガネフレーム１全体が特殊作業員の面部にぴったりと貼り付けたので、保護マスク７を付ける際、保護マスク７に干渉することはない。
【符号の説明】
【００１４】
１  メガネフレーム
１０  リム
１０２  軸部
１２  連結部材
１４  ツル
２  掛け距離
３  面部貼り付け距離
４  調整距離
５  所定の角度
７  保護マスク
【図１】
0003173415.tif 000003
【図２】
0003173415.tif 000004
【図３】
0003173415.tif 000005
【図４】
0003173415.tif 000006
【手続補正書】
【提出日】平成23年8月22日(2011.8.22)
【手続補正１】
【補正対象書類名】実用新案登録請求の範囲
【補正対象項目名】全文
【補正方法】変更
【補正の内容】
【実用新案登録請求の範囲】
【請求項１】
保護マスク内に用いられるメガネフレームであって、
二つのツルとリムを有し、前記二つのリムの間には連結部材で繋いでおり、各リムの前記連結部材から離れた両端部にそれぞれ前記ツルを繋ぐための軸部が設けられ、
前記両端の軸部の間に各ツルが特殊作業員の面部にぴったり貼り付ける掛け距離を有し、前記掛け距離は１１２ｍｍ〜１２２ｍｍであり、
前記連結部材から各ツルの近くの前記軸部までには面部貼り付け距離を有し、前記面部貼り付け距離は３８ｍｍ〜４８ｍｍであり、
前記ツルの中途には前記ツルの厚さを限定する調整距離を有し、前記調整距離は３０ｍｍ以上であり、
メガネが展開された場合、前記リムにおける両端の軸部を通過している直線と前記軸部により枢接されているツル[は]と、所定の角度をなして[いる]おり、前記所定の角度は６８度〜８０度であることを特徴とする保護マスク内に用いられるメガネフレーム。
【請求項２】
前記調整距離におけるツルの厚さは０．４ｍｍより小さいであることを特徴とする請求項１に記載の保護マスク内に用いられるメガネフレーム。
【手続補正２】
【補正対象書類名】明細書
【補正対象項目名】００１０
【補正方法】変更
【補正の内容】
【００１０】
図１および図２は、本考案に係る実施例を示す斜視図およびメガネフレームの各距離を示す底面図である。図面から分かるように、本考案は保護マスク内に用いられるメガネフレームであり、このメガネフレーム１は、要は二つのリム１０と、連結部材１２と、ツル１４とからなっており、二つのリム１０の間に連結部材１２で繋いでおり、各リム１０の当該連結部材１２から離れた両端部にそれぞれツル１４を繋ぐための軸部１０２が設けられており、当該二つの軸部１０２の間に、各ツル１４が特殊作業員の面部にぴったり貼り付ける掛け距離２を有し、連結部材１２から各ツル１４の近くの軸部１０２までには、面部貼り付け距離３を有し、各ツル１４の中途には調整距離４を有し、メガネが展開された場合、リム１０における両端の軸部１０２を通過している直線と前記軸部１０２により枢接されているツル１４と、所定の角度５をなしている。
【手続補正書】
【提出日】平成23年12月1日(2011.12.1)
【手続補正１】
【補正対象書類名】実用新案登録請求の範囲
【補正対象項目名】全文
【補正方法】変更
【補正の内容】
【実用新案登録請求の範囲】
【請求項１】
保護マスク内に用いられるメガネフレームであって、
二つのツルとリムを有し、前記二つのリムの間には連結部材で繋いでおり、各リムの前記連結部材から離れた両端部にそれぞれ前記ツルを繋ぐための軸部が設けられ、
前記両端の軸部の間の距離が該二つのツルが特殊作業員の面部にぴったり貼り付く距離であり、かつ該距離を１１２ｍｍ〜１２２ｍｍとし、
該ツルは外側に張り出すように湾曲し、該ツルの湾曲の頂点を通過して該連結部材の前端を通過する水平線に直交する線上における該ツルの湾曲の頂点から該直交点までの距離が、該ツルの使用者の面部に張り付く距離であり、かつ該距離を３８ｍｍ〜４８ｍｍとし、
該湾曲の頂点から先セルまでの距離を該ツルの厚さを調整する調整距離とし、かつ該距離を３０ｍｍ以上とし、
メガネが展開された場合、前記リムにおける両端の軸部を通過する直線と、前記軸部により枢接されている該ツルとの間に６８度〜８０度角度が形成されることを特徴とする保護マスク内に用いられるメガネフレーム。
【請求項２】
前記調整距離におけるツルの厚さは０．４ｍｍ以下であることを特徴とする請求項１に記載の保護マスク内に用いられるメガネフレーム。
【手続補正２】
【補正対象書類名】明細書
【補正対象項目名】００１０
【補正方法】変更
【補正の内容】
【００１０】
図１および図２は、本考案に係る実施例を示す斜視図およびメガネフレームの各距離を示す底面図である。図面から分かるように、本考案は保護マスク内に用いられるメガネフレームであり、このメガネフレーム１は、要は二つのリム１０と、連結部材１２と、ツル１４とからなっており、二つのリム１０の間に連結部材１２で繋いでおり、各リム１０の当該連結部材１２から離れた両端部にそれぞれツル１４を繋ぐための軸部１０２が設けられており、当該二つの軸部１０２の間の距離を掛け距離２とし、掛け距離２は、各ツル１４が特殊作業員の面部にぴったり貼り付くだけの距離とする。ツル１４は外側に張り出すように湾曲し、該湾曲の頂点から先セルまでの距離を調整距離とし、ツル１４の該湾曲の頂点を通過して連結部材１２の前端を通過する水平線に直交する線上におけるツル１４の該湾曲の頂点から該直交点までの距離を面部貼り付け距離３とする。面部貼り付け距離３はツル１４が使用者の面部に張り付く距離である。メガネが展開された場合、リム１０における両端の軸部１０２を通過する直線と前記軸部１０２により枢接されているツル１４との間に所定の角度５が形成される。